(57)【要約】  本発明によるインターネットと一般電話とを同時に提供するシステムは、一般電話機及びデータ端末とインターフェースして、一般電話用パケットとデータパケットとをE-PON信号で多重化させて、E-PON信号を一般電話用パケットとデータパケットとに逆多重化させるハイブリッド光モデム(30、40); 前記ハイブリッド光モデム(30、40)と連動して前記ハイブリッド光モデム(30、40)で多重化されたE-PON信号からデータパケットと一般電話用パケットとを分離して、データパケットと一般電話用パケットとをE-PON信号に多重化して、前記ハイブリッド光モデム(30、40)に伝送するハイブリッドゲートウェー(100); ローカル交換器(70)またはBcN交換器(80)と連動して、しかも前記ハイブリッドゲートウェー(100)から受信された一般電話用パケットをローカル交換器(70)またはBcN交換器(80)に伝送するハイブリッドマネジメントシステム(200)を含むことを特徴とする。  本発明は加入者がインターネットを使いながら既存の一般電話を多重に付けて一般電話サービスを使用することができるし、一般電話サービスのための銅線が必要なくてインターネット電話機を具備する必要なしに既存の一般電話機で一般電話サービスを提供する効果がある。【選択図】図１
2016521479.tif 000002
【特許請求の範囲】
【請求項１】
一般電話機及びデータ端末とインターフェースして、一般電話用パケットとデータパケットとをE-PON信号で多重化させて、E-PON信号を一般電話用パケットとデータパケットとに逆多重化させる、ハイブリッド光モデム;
前記ハイブリッド光モデムと連動して前記ハイブリッド光モデムで多重化されたE-PON信号からデータパケットと一般電話用パケットとに分離して、データパケットと一般電話用パケットとをE-PON信号で多重化して前記ハイブリッド光モデムに伝送する、ハイブリッドゲートウェー;
ローカル交換器及びBcN交換器と連動して、しかも前記ハイブリッドゲートウェーから受信された一般電話用パケットをローカル交換器またはBcN交換器に伝送する、ハイブリッドマネジメントシステム;
遠隔地から常時電源が提供されて、複数の一般電話機とインターフェースして、一般電話信号を一般電話用パケットに変換させて、一般電話用パケットを一般電話信号に変換させて、前記ハイブリッドマネジメントシステムと連動する、柱上の光モデム; を含めて、
前記ハイブリッドゲートウェーは、光電変換及びE-PON信号処理を行ってL2パケットを生成するE-PONカード; 前記L2パケットからデータパケットと一般電話用パケットとに分離するスイッチ; を含めて、
前記ハイブリッド光モデムは、単一加入者の一般電話機及びデータ端末とインターフェースする単一ポットハイブリッドの光モデムであったり、あるいは、複数加入者の一般電話機及びデータ端末とインターフェースするマルチポットハイブリッドの光モデムであって、
前記単一ポットハイブリッドの光モデムと前記マルチポットハイブリッドの光モデムとの少なくとも2種類全部を具備することを特徴とするインターネットと一般電話とを同時に提供するシステム。
【請求項２】
前記ハイブリッド光モデムは、
一般電話機とインターフェースして少なくとも一般電話機のアナログ音声信号をデジタル音声信号に変換するSLIC;
データ端末とインターフェースするイーザネット信号処理モジュール;
一般電話機の加入者情報に該当するイーザネットMACアドレスを登録して前記SLICからのデジタル音声信号を一般電話用パケットに処理する制御用CPU;
を含むことを特徴とする請求項１記載のインターネットと一般電話とを同時に提供するシステム。
【請求項３】
前記ハイブリッド光モデムは、
利用者に遠隔制御を含む付加サービスを提供するために前記制御用CPUと連動するETCモジュール;
をさらに含むことを特徴とする請求項２記載のインターネットと一般電話とを同時に提供するシステム。
【請求項４】
前記マルチポットハイブリッドの光モデムで、各加入者毎で単一のRJ-45ポットが利用されて、前記RJ-45ポットを構成するラインの中で、一部ラインはデータ端末とのインターフェースに利用されて、他の一部ラインは一般電話機とのインターフェースに利用されることを特徴とする請求項１記載のインターネットと一般電話とを同時に提供するシステム。
【発明の詳細な説明】
【技術分野】
【０００１】
本発明はインターネットと一般電話(PSTN)とを同時に提供することができるシステムに関するものであり、特に一つの接続ラインで前記のサービスを同時に提供することができるシステムに関するものである。
【背景技術】
【０００２】
従来のインターネットと一般電話とを同時に提供する装置としては、ADSLまたはVDSLサービスを提供するDSLAM装置がある。DSLAM装置は銅線を利用して地域の局舎(local telecommunication office)に一対一で接続するサービスの形態であって、変復調方式でもDMT(Discrete Multi-Tone)方式を適用して音声やデータを送ってスプリッター(splitter)を通じて分離結合する技術であり、高速データ交換が要求されなかった過去に既存で埋設された銅線を利用して一般電話とインターネットとを同時にサービスすることができた。 しかし、ADSLまたはVDSLサービスを提供するDSLAM装置では、銅線を使うことによって、高速のデータパケットサービス(data packet service)に適用しようとする時に速度を高めるのに限界がある問題点があり、また、銅線を利用することによって接続距離に制限があって、遠距離接続をしようとする時に一定地域までだけに接続することができ、距離が遠くなれば遠くなるほど変復調方式に従って伝送速度が下がる問題点があり、また、既存で埋設された銅線を活用することによって、既存の銅線が老朽化になってしまって、メンテナンス管理費用が増加される問題点がある。
【０００３】
一方、家庭で光インターネットサービスを提供される場合に、光インターネットサービスでは一般電話サービスを接続することができなくて、インターネットで一般電話と類似の機能を提供するようにインターネット電話機が新しく開発された。インターネット電話機はPCM音声信号を音声コデック(codec)を利用して圧縮してパケット(packet)に変更して、これをインターネットサービス装置でスイッチング(switching)してインターネット音声電話サービスを提供している。ところで、インターネット電話機を接続するポット(port)には既存の一般電話を連結することができない問題点があって、一つのポットに多数のインターネット電話機を連結することができない問題点がある。
【０００４】
前記の従来技術の問題点及び課題に対する認識は、本発明の技術分野で通常の知識を持つ者に自明なものではないので、このような認識に基ついた先行技術と本発明とを対比して本発明の進歩性を判断してはいけない。
【発明の概要】
【発明が解決しようとする課題】
【０００５】
本発明は前記の背景技術が持つ問題点を解決するため、または前記背景技術が処した状況を考慮して案出されたもので次のような目的を持つ。
【０００６】
本発明の一つの目的は銅線が持つ変復調方式の限界を飛び越えてインターネット及び一般電話サービスを同時に提供するために光インターフェースを利用するのである。
【０００７】
本発明の他の目的は、距離に無関係で等しい速度でインターネット及び一般電話サービスを同時に提供するのである。
【０００８】
本発明の他の目的は、一般電話のための銅線とインターネットのための光ケーブルとを分離して使わないで、一つの光ケーブルを利用して一般電話やインターネットを同時に提供してサービス事業者のメンテナンス費用を減らすのにその目的がある。
【０００９】
本発明の他の目的は、インターネット電話機を新しく購入する必要がないで、既存に保有した一般電話を変更なしに使うことができさせるし、一般電話を多重接続しても等しく使うようにしようとするのにその目的がある。
【００１０】
本発明で成そうとする技術的課題は以上で言及した技術的課題に制限されないで、言及しなかった他の技術的課題は以下の記載から本発明が属する技術分野で通常の知識を持つ者に明確に理解されることができるでしょう。  
【課題を解決するための手段】
【００１１】
本発明の一様相によるインターネットと一般電話とを同時に提供するシステムは、一般電話機及びデータ端末にインターフェース(interface)して一般電話用パケット(packet)及びデータパケットをE-PON信号で多重化させて、E-PON信号を一般電話用パケット及びデータパケットに逆多重化させるハイブリッド(hybrid)光モデム(modem); 前記ハイブリッド光モデムに連動して前記ハイブリッド光モデムで多重化されたE-PON信号からデータパケットと一般電話用パケットとに分離して、データパケットと一般電話用パケットとをE-PON信号で多重化して前記ハイブリッド光モデムに伝送するハイブリッドゲートウェー(hybrid  gateway);ローカル(local)交換器またはBcN交換器に連動して、しかも前記ハイブリッドゲートウェーから受信された一般電話用パケットをローカル交換器またはBcN交換器に伝送するハイブリッドマネジメントシステム(hybrid management system)を含むことを特徴にする。
【００１２】
また、前記ハイブリッド光モデムと前記ハイブリッドマネジメントシステムとの間に送受信される一般電話用パケットは、発信者表示の電話番号、フック(Hook)信号、リング(Ring)信号及びエラー(error)信号を含む制御信号ヘッド(head)が含まれて、前記の制御信号ヘッドを利用して前記の一般電話機と連動することを特徴にする。
【発明の効果】
【００１３】
本発明はADSLやVDSLで利用したDMT変復調技術を利用しないで、従来の電話機から出る音声信号をPCMで変換した後にパケット化して一般電話及びインターネットを単一な光インターフェースに接続してサービスを提供して、連結された距離に無関係に高速のインターネットを提供する効果がある。
【００１４】
本発明は一般電話及びインターネットを同時に光インターフェースを通じて提供することができて新規の集団建物を構築する時に一般電話のための銅線を新規で構築する必要がないし、一般電話とインターネットとを同時にサービスする事業者網が光インターフェースだけで構成されて網のメンテナンス(修理と保守)費用を減らすのにその効果がある。
【００１５】
本発明は加入者がインターネットを使いながら既存の一般電話を多重に付けて一般電話サービスを使用することができるし、一般電話サービスのための銅線が必要なくて、インターネット電話機を具備する必要なしに既存の一般電話機で一般電話サービスを提供する効果がある。
【図面の簡単な説明】
【００１６】
【図１】図1は本発明の一実施例によるインターネットと一般電話とを同時に提供するシステムの全体構成図である。
【図２】図2は本発明の一実施例によるインターネットと一般電話とを同時に提供するシステムでハイブリッドゲートウェー(100)の概略的な内部構成図である。
【図３】図3は本発明の一実施例によるインターネットと一般電話とを同時に提供するシステムでハイブリッドマネジメントシステム(200)の概略的な内部構成図である。
【図４】図4は本発明の一実施例によるインターネットと一般電話とを同時に提供するシステムの単一ポットハイブリッドの光モデム(40)の概略的な内部構成図である。
【図５】図5は本発明の一実施例によるインターネットと一般電話とを同時に提供するシステムで柱上の光モデム(50)の概略的な内部構成図である。
【発明を実施するための形態】
【００１７】
添付した図面を参照にして、本発明の実施例に対して本発明が属する技術分野で通常の知識を持つ者が容易く実施するように詳しく説明する。 しかし、本発明はいろいろな異なる形態に具現することができで、ここで説明する実施例に限定しない。 そして本発明を明確に説明するために説明と関係ない部分は図面で略しで、明細書の全体を通じて類似の部分に対しては類似の名称及び図面符号を使う。
【００１８】
図1は本発明の一実施例によるインターネットと一般電話とを同時に提供するシステムの全体構成図である。
【００１９】
本発明の一実施例によるインターネットと一般電話とを同時に提供するシステムは、ハイブリッド光モデム(30、40)、柱上の光モデム(50)、ハイブリッドゲートウェー(100) 及びハイブリッドマネジメントシステム(200)を含めで構成する。
【００２０】
ハイブリッド光モデム(30、40)は一般電話機(20)及びデータ端末(10)とインターフェースして一般電話用パケットやデータパケットをE-PON信号に多重化させて、E-PON信号を一般電話用パケットやデータパケットに逆多重化させる装置である。 ハイブリッド光モデム(30、40)には一般電話を提供するためにSLICを含め、SLICを通じて音声信号をデジタルパケットに変換して、フック信号、リング信号、エラー信号などの制御信号を通じて一般電話機(20)を制御する。 ハイブリッド光モデム(30、40)は、設置位置によって、集団住居用で設置できるマルチポット(multi-port)ハイブリッドの光モデム(30)と、一般家庭用で設置できる単一ポットハイブリッドの光モデム(40)とに構成される。
【００２１】
ハイブリッド光モデムは、単一加入者の一般電話機及びデータ端末とインターフェースする単一ポットハイブリッドの光モデム(40)と、複数の加入者の一般電話機及びデータ端末とインターフェースするマルチポットハイブリッドの光モデム(30)を含む。
【００２２】
ハイブリッド光モデム(30、40)はE-PON光インターフェースを通じてハイブリッドゲートウェー(100)に繋がれる。 ハイブリッド光モデム(30、40)とハイブリッドマネジメントシステム(200)との間に送受信される一般電話用パケットは、発信者表示の電話番号、フック信号、リング信号及びエラー信号を含む制御信号ヘッドが含まれて、前記の制御信号ヘッドを利用して一般電話機(20)と連動する。
【００２３】
柱上の光モデム(50)は、遠隔地から常時電源を提供されて、複数の一般電話機(20)とインターフェースして一般電話サービスを提供して、光インターフェースを通じてハイブリッドマネジメントシステム(200)に直ちに連結される。 柱上の光モデム(50)は、各ポット毎に一般電話サービスを提供するためにSLICを含め、SLICを通じて音声信号をデジタルパケットに変換して、フック信号、リング信号、エラー信号などの制御パケットを通じて一般電話機(20)を制御することになる。
【００２４】
ハイブリッドゲートウェー(100)は前記のハイブリッド光モデム(30、40)を多重に収容して、前記のハイブリッド光モデム(30、40)で多重化されたE-PON信号からデータパケットと一般電話用パケットとに分離して、データパケットはルーター(router)(60)を経てコーネット(KORNET) のようなインターネット網(61)と連動させる。 ハイブリッドゲートウェー(100)はE-PON信号から分離した一般電話用パケットを既存のPSTN電話網(71)で伝達するためにハイブリッドマネジメントシステム(200)に光インターフェースを通じて送る。 ハイブリッドゲートウェー(100)は、ハイブリッドマネジメントシステム(200)から受信された一般電話用パケットと、コーネット(KORNET)などのようなインターネット網(61)からルーター(60)を経て受信されるデータパケットとを結合したE-PON信号を各目的地のハイブリッド光モデム(30、40)に伝送する。
【００２５】
ハイブリッドマネジメントシステム(200)はハイブリッドゲートウェー(100)と柱上の光モデム(50)とを光インターフェースを利用して連結するシステムである。 ハイブリッドマネジメントシステム(200)は交換局舎に設置されて、交換局舎の交換器(70、80)によってハイブリッドマネジメントシステム(200)のインターフェースを異にして網に接続する。 既存の交換局舎にはPSTN網(71)を連動するローカル交換器(70)、または BcN網(81)を通じて音声電話サービスを提供するメディア(media)ゲートウェーのような BcN交換器(80)が設置されている。
【００２６】
ハイブリッドマネジメントシステム(200)は、ハイブリッドゲートウェー(100)を経て接続されるハイブリッド光モデム(30、40)及び直ちに接続される柱上の光モデム(50)の一般電話のサービスを処理するSLICと、一対一にマッピング(mapping)されて、交換器(70、80)で認識するポットに繋がれて、ハイブリッドマネジメントシステム(200)は接続者の電話番号、MACアドレス及び交換器連結ポットを管理する。 ハイブリッドマネジメントシステム(200)は交換器(70、80)から来る音声信号や制御信号を区分して処理して、音声信号はデジタル変換処理して、制御信号はヘッドで処理して一般電話用パケットを形成する。 ハイブリッドマネジメントシステム(200)で生成された一般電話用パケットは光インターフェースを通じてハイブリッドゲートウエー(100)に伝送するとか、あるいは直ちに柱上の光モデム(50)に伝送する。
【００２７】
図2は本発明の一実施例によるインターネットと一般電話とを同時に提供するシステムでハイブリッドゲートウェー(100)の概略的な内部構成図である。
【００２８】
ハイブリッドゲートウェー(100)はハイブリッド光モデム(30、40)から受信されたE-PON信号を一般電話用パケットとデータパケットとに区分した後、データパケットはルーター(60)に伝達して、一般電話用パケットはハイブリッドマネジメントシステム(200)に伝達する機能を処理する。
【００２９】
ハイブリッドゲートウェー(100)は、E-PON信号処理や一般電話用パケット処理及びデータパケット処理のために、システム制御プロセッサ(processor)(110)、内部L2/L3スイッチ(switch)(120)、多数のE-PONカード(card)(130)、インターネットアップリンク(internet  uplink)(140)、及びデジタル音声信号アップリンク(uplink)(150)を含めで成している。
【００３０】
ハイブリッドゲートウェー(100)のシステム制御プロセッサ(110)は通常のゲートウェーシステムのようにシステムの構成/運用/管理などの基本的な機能を処理する。ハイブリッドゲートウェー(100)の E-PONカード(130)は光電変換やE-PON信号処理を遂行してL2パケットを生成して、内部的に光トランシーバ(132)とE-PON装置(131)とで分けられて、ハイブリッド光モデム(30、40)の光電変換処理に対応する光電変換処理のための光トランシーバ(132)を含めて、電気信号でE-PON信号処理するE-PON装置(131)が存在する。
【００３１】
ハイブリッドゲートウェー(100)の内部L2/L3スイッチ(120)は、E-PONカード(130)から伝達する一般電話用パケット及びデータパケットを、外部インターネットアップリンク(140)やデジタル音声信号アップリンク(150)に送って、インターネットアップリンク(140) 及びデジタル音声信号アップリンク(150)から受信されるパケットをMACアドレスを基ついで各E-PONカード(130)に伝送するようにスイッチングする。  L2/L3スイッチ(120)には、内部プロトコル処理器(121)を利用してMACアドレスを管理して、受信されたパケットの目的地MACアドレスに従って、多数のE-PONカード(130)、インターネットアップリンク(140)及びデジタル音声信号アップリンク(150)を選択して伝送する機能を処理する。
【００３２】
ハイブリッドゲートウェー(100)のインターネットアップリンク(140)は、E-PON装置から受信されたデータパケットが内部L2/L3スイッチ(120)を通じてインターネットに接続しなければならないデータパケットをインターネットルーター(60)に送るためのアップリンクであり、インターネットルーター(60)から受信されたデータパケットを多数のE-PONカード(130) の中で目的するE-PONカード(130)に送るようにデータパケットを処理するリンクである。
【００３３】
ハイブリッドゲートウェー(100)のデジタル音声信号アップリンク(150)はE-PONカードから受信された一般電話用パケットを内部L2/L3スイッチ(120)を通じてハイブリッドマネジメントシステム(200)に伝達して、ハイブリッドマネジメントシステム(200)から受信される一般電話用パケットを多数のE-PONカード(130) の中に目的するE-PONカード(130)に送るように一般電話用パケットを処理するリンクである。
【００３４】
図3は本発明の一実施例によるインターネットと一般電話とを同時に提供するシステムでハイブリッドマネジメントシステム(200)の概略的な内部構成図である。
【００３５】
ハイブリッドマネジメントシステム(200)は、ハイブリッドゲートウェー(100)から受信される一般電話用パケットと柱上の光モデム(50)から受信される一般電話用パケットとを再び音声信号に変換して交換局舎のローカル交換器(70)に送って、交換局舎のローカル交換器(70)から受信される音声信号を一般電話用パケットに変換してハイブリッドゲートウェー(100)や柱上の光モデム(50)に伝送処理する。
【００３６】
ハイブリッドマネジメントシステム(200)はハイブリッドゲートウェー(100)と柱上の光モデム(50)とに連動して、交換局舎のローカル交換器(70)とBcN交換器(80)を連動するために光インターフェース(210)、BCMU(220)、BcNインターフェース(230)、及びELCUカード(240)で構成されている。
【００３７】
ハイブリッドマネジメントシステム(200)の光インターフェース(210)には、ラック(rack)インターフェース(211)、伝送コントローラー(212)、ハイブリッドゲートウェーインターフェース(213)、及び柱上の光モデムインターフェース(214)で構成されている。
【００３８】
ハイブリッドマネジメントシステム(200)の光インターフェース(210)には、ラック(rack)の間にパケットを取り交わすためのラックインターフェース(211)があって、光インターフェース(210)のラックインターフェース(211)は、光インターフェース(210)の伝送コントローラー(212)から受信される一般電話用パケットをBCMU(220)のラックインターフェース(221)に送って、BCMU(220)のラックインターフェース(221)から受信される一般電話用パケットを光インターフェース(210)の伝送コントローラー(212)に伝達する機能を処理する。
【００３９】
光インターフェース(210)の伝送コントローラー(211)は、光インターフェース(210)のラックインターフェース(211)で受信される一般電話用パケットを、光インターフェース(210)のハイブリッドゲートウェーインターフェース(213)に連結されたハイブリッドゲートウェー(100)と、光インターフェース(210)の柱上の光モデムインターフェース(214)に連結された柱上の光モデム(50)との中で、どの装置に伝送するかを制御して、また、光インターフェース(210)のハイブリッドゲートウェーインターフェース(213)と、光インターフェース(210)の柱上の光モデムインターフェース(214)とから受信される一般電話用パケットをBCMU(220)に伝送するための制御機能を処理する。
【００４０】
光インターフェース(210)のハイブリッドゲートウェーインターフェース(213)は、ハイブリッドゲートウェー(100)と接続して一般電話用パケットを交換するためのインターフェースとしてハイブリッド光モデム(30、40)から受信される一般電話用パケットを光インターフェース(210)の伝送コントローラー(212)に伝達して、光インターフェース(201)の伝送コントローラー(212)から受信される一般電話用パケットをハイブリッド光モデム(30、40)に伝達するためのインターフェースである。
【００４１】
光インターフェース(210)の柱上の光モデムインターフェース(214)は住宅地などに設置される柱上の光モデム(50)を接続することができるインターフェースとして、柱上の光モデム(50)から受信される一般電話用パケットを光インターフェース(210)の伝送コントローラー(212)で伝達して、光インターフェース(210)の伝送コントローラー(212)から受信される一般電話用パケットを柱上の光モデム(50)に伝達するためのインターフェースである。
【００４２】
ハイブリッドマネジメントシステム(200)のBCMU(220)は、ラックインターフェース(221)、伝送コントローラー(222)、ELCUインターフェース(223)で構成されて、加入者情報とELCUカードの間のマッピング情報を持って、加入者情報によって ELCUカードを選択する。
【００４３】
BCMU(220)のラックインターフェース(221)は、光インターフェース(210)のラックインターフェース(211)と連結されて、ラックの間の一般電話用パケットを交換するためのインターフェースである。
【００４４】
BCMU(220)の伝送コントローラー(222)は 、BCMU(220)で保有した電話加入者の情報、加入者のMAC情報及びELCUカード(240)の間のマッピングによって電話加入者の該当のELCUインターフェース(223)を探して一般電話用パケットを伝達する機能を処理して、ELCUインターフェース(223)から受信された一般電話用パケットを光インターフェース(210)に伝送するようにBCMU(220)のラックインターフェース(221)に伝送する。 また、BCMU(220)の伝送コントローラー(222)は、局舎交換器がメディアゲートウェーのようなBcN交換器(80)と接続された場合、BcNインターフェース(230)で一般電話用パケットを送る。 図3では等しいハイブリッドマネジメントシステム(200)の内部にELCUインターフェース(223)及びELCUカード(240)やBcNインターフェース(230)が皆具備されることにしたが、一つのハイブリッドマネジメントシスンテム(200)にELCUインターフェース(223)及びELCUカード(240)だけを具備されるとか、BcNインターフェース(230)だけを具備されることで実施されることもできる。
【００４５】
BCMU(220)のELCUインターフェース(223)は、ラックに多重に装着されたELCUカード(230)とそれぞれ連動して制御する機能を処理して、ELCUカード(240)から受信されるデジタル音声信号及び制御信号をパケット化して、逆方向では一般電話用パケットからデジタル音声信号と制御信号とに分離してELCUカード(240)に提供する。
【００４６】
ハイブリッドマネジメントシステム(200)のBcNインターフェース(230)は、メディアゲートウェーのようなBcN交換器(80)に一般電話用パケットを送って、BcN 交換器(80)から受信される一般電話用パケットを処理してBCMU(220)の伝送コントローラー(222)に伝達するインターフェースである。
【００４７】
ハイブリッドマネジメントシステム(200)のELCUカード(240)は、ハイブリッド光モデムから受信された一般電話用パケットをローカル交換器とインターフェースして一般電話機のようにエミュレーション(emulation)する。ELCUカード(240)は、多重でラックに設置されてローカル交換器(70)の一般電話ポットと、一対一接続されるカードであり、DAA制御機(241)及びDAA音声インターフェース(242)が含まれている。 DAA音声インターフェース(242)はローカル交換器の音声電話ポットと一対一に接続されてV5.2プロトコルによって音声電話をインターフェースする。 
【００４８】
DAA 制御機(241)は、BCMU(220)がリング信号、エラー信号、発信者の電話番号などによる情報を制御ヘッダーに反映してパケットを生成するように、ローカル交換器(70)からのリング信号、エラー信号、発信者の電話番号などに関する制御信号をBCMU(220)に提供して、BCMU(220)から提供される情報に基づいて交換局舎のポットを制御するフック信号などを生成する。ELCUカード(240)は、加入者ごとに一対一でハイブリッド光モデムのSLIC(43)または柱上の光モデムのSLIC(51)と対応される。
【００４９】
図4は本発明の一実施例によるインターネットと一般電話とを同時に提供するシステムの単一ポットハイブリッドの光モデム(40)の概略的な内部構成図である。
【００５０】
単一ポットハイブリッドの光モデム(40)では、加入者のデータ端末(10)がイーザネット(ethernet)信号処理モジュール(41)に接続されて、一般電話機(20)がSLIC(43)に接続されて、データ端末(10)のデータパケットと一般電話機(20)の音声信号とを一般電話用パケットで生成してE-PON多重化してハイブリッドゲートウェー(100)に送る装置である。 マルチポットハイブリッドの光モデム(30)は、単一ポットハイブリッドの光モデム(40)を多重で加入者を収容することができるようにする多重ポットの接続装置である。 マルチポットハイブリッドの光モデム(30)では、UTPの8筋の中で、1番、2番、3番及び6番はイーザネットで連結されたデータ端末(10)を接続するために使われて、4番及び、5番は一般電話機(20)を連結するために使われて、単一のUTPラインでデータ及び電話を両方とも解決することができる。 マルチポットハイブリッドの光モデム(30)で、各加入者ごとで単一のRJ-45ポットが利用されて、RJ-45ポットで1、2、3及び6番ラインはデータ端末とインターフェースして、4及び5番ラインは一般電話機とインターフェースする。
【００５１】
単一ポットハイブリッドの光モデム(40)は、一個以上のイーザネット信号処理モジュール(41、42)、SLIC(43)、ETCモジュール(44)、E-PON装置(54)、制御用CPU(46)、内部L2スイッチ(47)、L2スイッチのプロトコルプロセス(protocole process)(48)及び光トランシーバ(transceiver)(49)で構成される。
【００５２】
単一ポットハイブリッドの光モデム(40)のイーザネット信号処理モジュール(41、42)は、普遍的にイーザネット装置が内蔵したデータ端末(10)とRJ-45インターフェースして、等しいRJ-45物理的なインターフェースとケーブルとが使われるが、物理階層の処理方式に従って10/100/1Gスピードの伝送速度を持って、イーザネットポット(41、42)を通じて受信されるイーザネットパケットはE-PON装置(45)を通じてE-PON信号に信号変換が行う。
【００５３】
単一ポットハイブリッドの光モデム(40)のSLIC(43)は、一般電話機(20)とRJ-11インターフェースに接続されて、SLIC(43)でアナログ音声信号をPCM信号に変換処理して、PCM信号を逆にアナログ音声信号に変換処理する。
【００５４】
単一ポットハイブリッドの光モデム(40)の制御用CPU(46)は、一般電話機の加入者情報に該当するイーザネットMACアドレスを登録して、SLICからのデジタル音声信号を一般電話用パケットで処理する。 制御用CPU(46)は、電話番号とマッピングされている端末のMACアドレスを送信先MACアドレスとして処理して、ハイブリッドゲートウェーのMACアドレスと目的地のアドレスとを結合してPCM信号を一般電話用パケットに変換して、一般電話用パケットから制御信号とPCM信号とを分離して制御信号はSLIC(43)を制御して、PCM信号はアナログ音声信号に逆変換して一般電話機に送るようにする。
【００５５】
単一ポットハイブリッドの光モデム(40)の内部L2スイッチ(47)は、E-PON装置(45)から受信されるデータパケットと制御用CPU(46)から処理される一般電話用パケットとをプロトコルプロセス(48)を通じてE-PON信号として結合して、これを光トランシーバ(49)を通じてハイブリッドゲートウェー(100)に送る。 また、プロトコルプロセス(48)はハイブリッドゲートウェー(100)から光トランシーバ(49)を通じて受信される多重化されたE-PON信号からのデータパケットと一般電話用パケットとを区分して、データパケットはE-PON装置(45)に送って、一般電話用パケットは制御用CPU(46)が処理するように伝達する。
【００５６】
単一ポットハイブリッドの光モデム(40)のETCモジュール(44)は、利用者の遠隔制御を含む付加サービスを提供するための拡張モジュールで、制御用CPU(46)と連動される。
【００５７】
図5は本発明の一実施例によるインターネットと一般電話とを同時に提供するシステムで柱上の光モデム(50)の概略的な内部構成図である。
【００５８】
柱上の光モデム(50)は、一つ以上の一般電話機(20)とインターフェースして、一般電話機(20)の音声を一般電話用パケットに変換して光インターフェースを通じてハイブリッドマネジメントシステム(200)と接続して一般電話サービスを提供する住宅地用光モデム装置である。
【００５９】
柱上の光モデム(50)は、多数のSLIC(50)、SLIC制御ユニット(55)、制御用CPU(57)、及び光インターフェース(56)で構成される。 柱上の光モデム(50)のSLIC(51)は一般電話機(20)とRJ-11でインターフェースして、音声をPCMに変換して、PCM信号から音声信号を変換処理する。
【００６０】
柱上の光モデム(50)のSLIC制御ユニット(55)は、加入者別で連結された多数のSLIC(51)を管理して、これらを制御する機能を処理する。
【００６１】
柱上の光モデム(50)の制御用CPU(57)は、SLIC(51)で生成された符号化したPCM信号をパケット化して、SLIC制御ユニット(55)で制御されるポットと加入者情報とを結合して各ポット別の加入者MACアドレスを基にして一般電話用パケットを生成して、光インターフェース(56)に一般電話用パケットを伝送する機能を処理して、光インターフェース(56)から受信された一般電話用パケットの目的地MACアドレスで、加入された加入者SLICポット(51)の情報を探して一般電話用パケットの制御ヘッドを基ついて該当のSLIC(51)にSLIC制御ユニット(55)を通じて制御して、一般電話用パケットのデータを該当のSLIC(51)に送る機能を処理する。
【００６２】
柱上の光モデム(50)の光インターフェース(56)は、ハイブリッドマネジメントシステム(200)と光接続することができるインターフェースであり、制御用CPU(57)で生成された一般電話用パケットをハイブリッドマネジメントシステム(200)に送って、ハイブリッドマネジメントシステム(200)から受信される一般電話用パケットを、制御用CPU(57)で処理することができるようにインターフェースする。 柱上の光モデム(50)の光インターフェース(56)は、E-PONで処理されるハイブリッド光モデム(30、40)の光インターフェースと違い、内部的に定義した規格のイーザネットパケットである制御ヘッダーとPCMパケット結合された一般電話用パケットを送受信する。
【００６３】
以下、本発明の一実施例によるシステムを利用した一般電話機(20)の通話過程に対する例を説明する。
【００６４】
一般電話機(20)で通話試みのために一般電話機(20)をあげる場合、ハイブリッド光モデム(30、40)のSLIC(43)、あるいは柱上の光モデム(50)のSLIC(51)は、ハイブリッドマネジメントシステム(200)のELCUカード(240)のDAA制御機(241)とに肺ルーフを形成して、ハイブリッドマネジメントシステム(200)のDAA制御機(241)では交換局舎のローカル交換器(70)から受信されるフック信号からフック制御信号ヘッドを生成して一般電話用パケットを作って、これを目的地MACアドレスを付けてハイブリッドの光モデム(30、40) あるいは柱上の光モデム(50)に送る。
【００６５】
ハイブリッド光モデム(30、40) あるいは柱上の光モデム(50)のSLIC(43、51)は、一般電話用パケットからフック制御信号に基ついて一般電話機(20)に ' ツー'というフック信号を発生させる。
【００６６】
一般電話機(20)で電話番号を押す場合にDTMF 信号が発生されて、これはハイブリッドの光モデム(30、40)のSLIC(43)あるいは柱上の光モデム(50)のSLIC(51)でこの信号を基ついて電話番号を作って電話番号制御信号ヘッドを形成して、自分のMACアドレスを送信先MACアドレスとして、ハイブリッドマネジメントシステム(200)のMACアドレスを受信先MACアドレスとする一般電話用パケットを生成して、ハイブリッドマネジメントシステム(200)に送る。 ハイブリッド光モデム(30、40)に連結された一般電話機(20)の場合は、ハイブリッドゲートウェー(100)を経てハイブリッドマネジメントシステム(200)に到達されて、柱上の光モデム(50)に接続された一般電話機(20)の場合は、直ちにハイブリッドメジニモントシステム(200)に一般電話用パケットを伝達する。
【００６７】
ハイブリッドマネジメントシステム(200)は、電話番号制御信号ヘッドで目的地の電話番号を見て、接続されたローカル交換器(70)に再びDTMFを生成して伝達して、ローカル交換器(70)で交換が行われれば、通話段階に至る。
【００６８】
外部の一般電話加入者が一般電話機(20)に電話をかける場合は、ハイブリッドマネジメントシステム(200)に連結されたローカル交換器(70)からリング信号が発生されて、リング信号はELCUカードのDAAインターフェース(242)でリング信号を感知されてDAA制御機(241)及びELCUインターフェース(223)を通じてリング信号に対するリング制御信号ヘッドを生成して、ハイブリッドマネジメントシステム(200)に記録していた加入者電話番号、加入者MACアドレス、ELCUポット情報などから受信された加入者のMACアドレスを確保して一般電話用パケットに作ってハイブリッド光モデム(30、40)あるいは柱上の光モデム(50)に一般電話用パケットを送る。
【００６９】
ハイブリッド光モデム(30、40)のSLIC(43)あるいは柱上の光モデム(50)のSLIC(51)は、一般電話用パケットのヘッドに含まれたリング制御信号を判断してSLICを制御して、一般電話機(20)に対して 'リング'を発生させる。
【００７０】
音声通話の場合、制御信号処理と類似の過程を経て、一般電話機(20)と交換局舎のローカル交換器(70)との間の伝送区間では一般電話用パケットに変更されるが、一般電話機(20)を収容するハイブリッドの光モデム(30、40)のSLIC(43)は、交換局舎のローカル交換器(70)の電話ポットと接続されるハイブリッドマネジメントシステム(200)のELCUカード(240)と、一対一にパイプ(pipe)のように接続されて音声を伝達する特徴を持つ。
【図１】
2016521479.tif 000003
【図２】
2016521479.tif 000004
【図３】
2016521479.tif 000005
【図４】
2016521479.tif 000006
【図５】
2016521479.tif 000007
【国際調査報告】
2016521479.tif 000008
2016521479.tif 000009
2016521479.tif 000010
2016521479.tif 000011